(57)【要約】【課題】デジタル放送を視聴する際に、コンテンツの出力が途切れることを抑制することができるデジタル放送表示システム及びデジタル放送表示装置を提供することを目的とする。【解決手段】デジタル放送表示システム１は、チューナーモジュール１０とパソコン２０とを備える。パソコン２０は、チューナーモジュール１０から出力された放送信号に対して信号処理を施す信号処理部２７と、信号処理部２７によって信号処理が施された放送信号に基づく映像を表示領域に表示するディスプレイ２８と、表示領域の大きさを検出する表示領域検出部３６とを備える。さらにパソコン２０は、信号処理部２７によって信号処理が施される放送信号として、ハイビジョン方式の放送信号またはワンセグ方式の放送信号を選択する信号選択部２２と、表示領域検出部３６によって検出された表示領域の大きさに基づいて、信号選択部２２に放送信号を選択させるＣＰＵ３０とを備える。【選択図】図１
2009089168.tif 000002
【特許請求の範囲】
【請求項１】
放送電波を受信して、前記放送電波に含まれるデジタル方式の放送信号を出力するデジタル放送受信装置と、前記デジタル放送受信装置に接続され、前記デジタル放送受信装置から出力された放送信号に対して所定の信号処理を施すとともに、前記信号処理が施された放送信号に基づく映像を表示するデジタル放送表示装置とを備えたデジタル放送表示システムであって、
前記デジタル放送表示装置は、前記デジタル放送受信装置から出力された放送信号に対して前記信号処理を施す信号処理部と、前記信号処理部によって前記信号処理が施された放送信号に基づく映像を所定の表示領域に表示する表示部と、前記表示領域の大きさを検出する表示領域検出部と、前記信号処理部によって前記信号処理が施される放送信号として、第１の帯域幅を有する第１の放送信号および前記第１の帯域幅より狭い第２の帯域幅を有する第２の放送信号のいずれか一方を選択する信号選択部と、前記表示領域検出部によって検出された前記表示領域の大きさに基づいて、前記信号選択部に前記第１、第２の放送信号のいずれか一方を選択させる制御部とを備えることを特徴とするデジタル放送表示システム。
【請求項２】
前記制御部は、前記表示領域検出部によって検出された前記表示領域の大きさが、前記第２の放送信号に基づく映像の大きさよりも大きいか否かを判断し、前記表示領域の大きさが前記第２の放送信号に基づく映像の大きさよりも大きいと判断した場合は、前記信号選択部に前記第１の放送信号を選択させるとともに、前記表示領域の大きさが前記第２の放送信号に基づく映像の大きさよりも小さい、または前記表示領域の大きさが前記第２の放送信号に基づく映像の大きさと等しいと判断した場合は、前記信号選択部に前記第２の放送信号を選択させることを特徴とする請求項１に記載のデジタル放送表示システム。
【請求項３】
前記表示領域検出部は、前記表示領域の大きさが変更されたか否かを検出し、前記制御部は、前記表示領域の大きさが変更されたことを検出した場合に、前記表示領域検出部によって検出された前記表示領域の大きさに基づいて、前記信号選択部に前記第１、第２の放送信号のいずれか一方を選択させることを特徴とする請求項１または請求項２に記載のデジタル放送表示システム。
【請求項４】
放送電波を受信して、前記放送電波に含まれるデジタル方式の放送信号を出力するデジタル放送受信部と、前記デジタル放送受信部から出力された放送信号に対して所定の信号処理を施す信号処理部と、前記信号処理部によって前記信号処理が施された放送信号に基づく映像を所定の表示領域に表示する表示部と、前記表示領域の大きさを検出する表示領域検出部と、前記信号処理部によって前記信号処理が施される放送信号として、第１の帯域幅を有する第１の放送信号および前記第１の帯域幅より狭い第２の帯域幅を有する第２の放送信号のいずれか一方を選択する信号選択部と、前記表示領域検出部によって検出された前記表示領域の大きさに基づいて、前記信号選択部に前記第１、第２の放送信号のいずれか一方を選択させる制御部とを備えることを特徴とするデジタル放送表示装置。
【請求項５】
前記制御部は、前記表示領域検出部によって検出された前記表示領域の大きさが、前記第２の放送信号に基づく映像の大きさよりも大きいか否かを判断し、前記表示領域の大きさが前記第２の放送信号に基づく映像の大きさよりも大きいと判断した場合は、前記信号選択部に前記第１の放送信号を選択させるとともに、前記表示領域の大きさが前記第２の放送信号に基づく映像の大きさよりも小さい、または前記表示領域の大きさが前記第２の放送信号に基づく映像の大きさと等しいと判断した場合は、前記信号選択部に前記第２の放送信号を選択させることを特徴とする請求項４に記載のデジタル放送表示装置。
【請求項６】
前記表示領域検出部は、前記表示領域の大きさが変更されたか否かを検出し、前記制御部は、前記表示領域の大きさが変更されたことを検出した場合に、前記表示領域検出部によって検出された前記表示領域の大きさに基づいて、前記信号選択部に前記第１、第２の放送信号のいずれか一方を選択させることを特徴とする請求項４または請求項５に記載のデジタル放送表示装置。
【発明の詳細な説明】
【技術分野】
【０００１】
本発明は、受信したデジタル方式の放送信号に対して所定の信号処理を施し、信号処理が施された放送信号に基づく映像を表示するデジタル放送表示システム及びデジタル放送表示装置に関する。
【背景技術】
【０００２】
近年、パーソナルコンピュータ（以下、「パソコン」という。）は、高度なＡＶ（Audio Visual）機能を搭載しており、ＴＶ放送受信用の装置であるチューナーモジュールをパソコンに接続することで、パソコンのディスプレイ上に映像を表示させて視聴することが一般的になっている。また、ＴＶ放送は、アナログ放送からデジタル放送に移行しており、パソコンに接続して使用されるチューナーモジュールも、デジタル放送用の商品が知られている。
【０００３】
また、日本の地上波を用いたデジタル放送（以下、「地上波デジタル放送」という。）の方式としては、１つのチャンネルあたりの帯域を１３個のセグメント（約４３０ｋＨｚ帯域を有する送信単位）に分割し、これらのセグメントをいくつか束ねた状態で、映像信号及び音声信号等が多重化された放送信号を送信する方式が採用されている。
【０００４】
また、地上波デジタル放送において使用される放送電波に含まれる放送信号には、デジタル方式の放送信号としてＨＤＴＶ（High Definition Television）方式（ハイビジョン方式）またはＳＤＴＶ（Standard Definition Television）方式（標準方式）の放送信号が含まれている。さらに、地上波デジタル放送において使用される放送電波に含まれる放送信号には、ハイビジョン方式および標準方式の放送信号に比し、帯域幅が狭いデジタル方式の放送信号として簡易動画方式（ワンセグ方式）の放送信号が含まれている。
【０００５】
このうち、ハイビジョン方式は、上述の１３セグメント（１３個のセグメント）のうち、１２セグメント（１２個のセグメント）を使用して放送信号を送信する方式であり、標準方式は、１３セグメントのうち、４セグメント（４個のセグメント）を使用して放送信号を送信する方式である。また、ワンセグ方式は、上述の１３セグメントのうち、１セグメント（１個のセグメント）を使用して放送信号を送信する方式である。このように、ハイビジョン方式は、標準方式およびワンセグ方式に比し、使用する放送信号の帯域幅が広いため、高精細な映像等を伝送することができる。一方、ワンセグ方式は、ハイビジョン方式および標準方式に比し、使用する放送信号の帯域幅が狭いため、ハイビジョン方式や標準方式によって伝送される映像に比べて低画質の映像しか伝送できないが、ハイビジョン方式および標準方式に比し、携帯電話などのモバイル受信端末向けに適しているという特徴がある。
【０００６】
そして、このような地上波デジタル放送の映像を表示するデジタル放送表示装置として、地上波デジタル放送受信用のチューナーモジュールと、このチューナーモジュールに接続して使用されるパソコンにより構成されるものが開示されている。このデジタル放送受信装置は、放送局から送信された放送電波を受信して、放送電波に含まれるデジタル方式の放送信号（以下、「デジタル放送信号」という。）に対して所定の信号処理を行ない、デジタル放送信号に基づくコンテンツを出力する。より具体的には、チューナーモジュールにおいて、まず、専用のアンテナを介して受信した地上波デジタル放送の放送電波に含まれるデジタル放送信号の中から、所望のチャンネルに対応するデジタル放送信号をチューナー部（選局部）によって選択する。次いで、選択したデジタル放送信号に対して復調等を行うとともに、デジタル放送信号に対してスクランブル処理が掛けられている場合はスクランブルを解除してＭＰＥＧ−２方式に準拠したトランスポート・ストリーム形式（以下、「ＴＳ形式」という。）のデジタル放送信号を得る。次いで、ＴＳ形式のデジタル放送信号を暗号化して、汎用のインターフェースを介して、暗号化されたデジタル放送信号をパソコンへ伝送する。次いで、パソコンにおいて、暗号化されたデジタル放送信号を復号化するとともに、デジタル放送信号から映像信号や音声信号を分離するとともに、それらの信号に含まれるデータ（映像データや音声データ）に対してデコード処理等を行う。そして、映像信号に基づく映像をディスプレイ（表示部）に表示するとともに、音声信号に基づく音声をスピーカにて再生する構成となっている（例えば、特許文献１参照）。
【特許文献１】特開２００６−７４６８６号公報
【発明の開示】
【発明が解決しようとする課題】
【０００７】
ここで、地上波デジタル放送を視聴する際には、暗号化されたデジタル放送信号を復号化する信号処理や、デジタル放送信号に含まれるとともにＭＰＥＧ−２方式に基づいて圧縮されているデータに対してデコード処理等を行うための信号処理を行う必要があり、パソコンの処理能力が不足していた場合にこれらの処理が遅れてしまう。即ち、パソコンの処理能力は有限であり、パソコンにおいて複数のプログラムが同時に実行された場合、地上波デジタル放送を視聴するために必要とされる上述の信号処理に割り当てられるリソース（資源）が不足して、適切なタイミングで信号処理を行うことができなくなる。その結果、ディスプレイやスピーカ等における映像や音声等のコンテンツの出力（表示、再生）が途切れてしまう不都合があった。
【０００８】
そこで、本発明は、上述の問題に鑑みてなされたものであり、デジタル放送を視聴する際に、放送信号に基づくコンテンツの出力が途切れることを抑制することができるデジタル放送表示システム及びデジタル放送表示装置を提供することを目的とする。
【課題を解決するための手段】
【０００９】
請求項１に記載の発明は、放送電波を受信して、放送電波に含まれるデジタル方式の放送信号を出力するデジタル放送受信装置と、デジタル放送受信装置に接続され、デジタル放送受信装置から出力された放送信号に対して所定の信号処理を施すとともに、信号処理が施された放送信号に基づく映像を表示するデジタル放送表示装置とを備えたデジタル放送表示システムであって、デジタル放送表示装置は、デジタル放送受信装置から出力された放送信号に対して信号処理を施す信号処理部と、信号処理部によって信号処理が施された放送信号に基づく映像を所定の表示領域に表示する表示部と、表示領域の大きさを検出する表示領域検出部と、信号処理部によって信号処理が施される放送信号として、第１の帯域幅を有する第１の放送信号および第１の帯域幅より狭い第２の帯域幅を有する第２の放送信号のいずれか一方を選択する信号選択部と、表示領域検出部によって検出された表示領域の大きさに基づいて、信号選択部に第１、第２の放送信号のいずれか一方を選択させる制御部とを備えることを特徴とする。
【００１０】
同構成によれば、表示領域の大きさに基づいて、信号処理部によって信号処理が施される放送信号として、第１、第２の放送信号のいずれか一方を選択する構成としている。このため、例えば、表示領域の大きさが小さい場合、第１の帯域幅より狭い第２の帯域幅を有する第２の放送信号に対して信号処理が施されるようにして、信号処理の処理負担を軽減することができる。その結果、デジタル放送を視聴する際に、放送信号に基づくコンテンツの出力（例えば、映像及び音声の表示及び再生）が途切れることを抑制することができる。
【００１１】
請求項２に記載の発明は、請求項１に記載のデジタル放送表示システムであって、制御部は、表示領域検出部によって検出された表示領域の大きさが、第２の放送信号に基づく映像の大きさよりも大きいか否かを判断し、表示領域の大きさが第２の放送信号に基づく映像の大きさよりも大きいと判断した場合は、信号選択部に第１の放送信号を選択させるとともに、表示領域の大きさが第２の放送信号に基づく映像の大きさよりも小さい、または表示領域の大きさが第２の放送信号に基づく映像の大きさと等しいと判断した場合は、信号選択部に第２の放送信号を選択させることを特徴とする。
【００１２】
同構成によれば、表示領域の大きさが第２の放送信号に基づく映像の大きさよりも大きいと判断した場合は、信号処理部によって信号処理が施される放送信号として、第１の放送信号を選択する。そして、表示領域の大きさが第２の放送信号に基づく映像の大きさよりも小さい、または表示領域の大きさが第２の放送信号に基づく映像の大きさと等しいと判断した場合は、信号処理部によって信号処理が施される放送信号として、第２の放送信号を選択する構成としている。このため、表示領域の大きさが第２の放送信号に基づく映像の大きさよりも大きい場合は、例えば、第２の帯域幅よりも広い第１の帯域幅を有する第１の放送信号に基づくコンテンツを出力することによって、高画質の画像でデジタル放送を視聴することができる。また、表示領域の大きさが第２の放送信号に基づく映像の大きさよりも小さい、または表示領域の大きさが第２の放送信号に基づく映像の大きさと等しい場合は、例えば、第１の帯域幅よりも狭い第２の帯域幅を有する第２の放送信号に基づくコンテンツを出力することによって、コンテンツの出力が途切れることを抑制してデジタル放送を視聴することができる。
【００１３】
請求項３に記載の発明は、請求項１または請求項２に記載のデジタル放送表示システムであって、表示領域検出部は、表示領域の大きさが変更されたか否かを検出し、制御部は、表示領域の大きさが変更されたことを検出した場合に、表示領域検出部によって検出された表示領域の大きさに基づいて、信号選択部に第１、第２の放送信号のいずれか一方を選択させることを特徴とする。
【００１４】
同構成によれば、表示領域の大きさが変更されたことを検出した場合に、信号処理部によって信号処理が施される放送信号として、第１、第２の放送信号のいずれか一方を選択する構成としている。従って、例えば、デジタル放送が視聴されている際に表示領域の大きさが変更された場合であっても、放送信号に基づくコンテンツの出力が途切れることを抑制することができる。
【００１５】
請求項４に記載の発明は、放送電波を受信して、放送電波に含まれるデジタル方式の放送信号を出力するデジタル放送受信部と、デジタル放送受信部から出力された放送信号に対して所定の信号処理を施す信号処理部と、信号処理部によって信号処理が施された放送信号に基づく映像を所定の表示領域に表示する表示部と、表示領域の大きさを検出する表示領域検出部と、信号処理部によって信号処理が施される放送信号として、第１の帯域幅を有する第１の放送信号および第１の帯域幅より狭い第２の帯域幅を有する第２の放送信号のいずれか一方を選択する信号選択部と、表示領域検出部によって検出された表示領域の大きさに基づいて、信号選択部に第１、第２の放送信号のいずれか一方を選択させる制御部とを備えることを特徴とする。
【００１６】
同構成によれば、表示領域の大きさに基づいて、信号処理部によって信号処理が施される放送信号として、第１、第２の放送信号のいずれか一方を選択する構成としている。このため、例えば、表示領域の大きさが小さい場合、第１の帯域幅より狭い第２の帯域幅を有する第２の放送信号に対して信号処理が施されるようにして、信号処理の処理負担を軽減することができる。その結果、デジタル放送を視聴する際に、放送信号に基づくコンテンツの出力（例えば、映像及び音声の表示及び再生）が途切れることを抑制することができる。
【００１７】
請求項５に記載の発明は、請求項４に記載のデジタル放送表示装置であって、制御部は、表示領域検出部によって検出された表示領域の大きさが、第２の放送信号に基づく映像の大きさよりも大きいか否かを判断し、表示領域の大きさが第２の放送信号に基づく映像の大きさよりも大きいと判断した場合は、信号選択部に第１の放送信号を選択させるとともに、表示領域の大きさが第２の放送信号に基づく映像の大きさよりも小さい、または表示領域の大きさが第２の放送信号に基づく映像の大きさと等しいと判断した場合は、信号選択部に第２の放送信号を選択させることを特徴とする。
【００１８】
同構成によれば、表示領域の大きさが第２の放送信号に基づく映像の大きさよりも大きいと判断した場合は、信号処理部によって信号処理が施される放送信号として、第１の放送信号を選択する。そして、表示領域の大きさが第２の放送信号に基づく映像の大きさよりも小さい、または表示領域の大きさが第２の放送信号に基づく映像の大きさと等しいと判断した場合は、信号処理部によって信号処理が施される放送信号として、第２の放送信号を選択する構成としている。このため、表示領域の大きさが第２の放送信号に基づく映像の大きさよりも大きい場合は、例えば、第２の帯域幅よりも広い第１の帯域幅を有する第１の放送信号に基づくコンテンツを出力することによって、高画質の画像でデジタル放送を視聴することができる。また、表示領域の大きさが第２の放送信号に基づく映像の大きさよりも小さい、または表示領域の大きさが第２の放送信号に基づく映像の大きさと等しい場合は、例えば、第１の帯域幅よりも狭い第２の帯域幅を有する第２の放送信号に基づくコンテンツを出力することによって、コンテンツの出力が途切れることを抑制してデジタル放送を視聴することができる。
【００１９】
請求項６に記載の発明は、請求項４または請求項５に記載のデジタル放送表示装置であって、表示領域検出部は、表示領域の大きさが変更されたか否かを検出し、制御部は、表示領域の大きさが変更されたことを検出した場合に、表示領域検出部によって検出された表示領域の大きさに基づいて、信号選択部に第１、第２の放送信号のいずれか一方を選択させることを特徴とする。
【００２０】
同構成によれば、表示領域の大きさが変更されたことを検出した場合に、信号処理部によって信号処理が施される放送信号として、第１、第２の放送信号のいずれか一方を選択する構成としている。従って、例えば、デジタル放送が視聴されている際に表示領域の大きさが変更された場合であっても、放送信号に基づくコンテンツの出力が途切れることを抑制することができる。
【発明の効果】
【００２１】
本発明によれば、デジタル放送を視聴する際に、放送信号に基づくコンテンツの出力が途切れることを抑制することができる。
【発明を実施するための最良の形態】
【００２２】
以下に本発明に係る実施形態について、図１〜図５を参照しながら説明する。
図１に示すように、本実施形態に係るデジタル放送表示システム１は、デジタル放送の放送電波を受信するデジタル放送受信装置であるチューナーモジュール１０と、チューナーモジュール１０が接続された電子機器であるデジタル放送表示装置としてのパソコン２０により構成されている。
【００２３】
チューナーモジュール１０は、放送電波を受信するアンテナ１１と、放送電波に含まれるデジタル放送信号（以下、単に「放送信号」または「信号」という場合がある。）のうち、所望のチャンネルに対応する放送信号を選択するチューナー部１２と、チューナー部１２により選択された放送信号を復調する復調部１３とを備えている。さらに、チューナーモジュール１０は、復調された放送信号のスクランブルを解除するデスクランブル処理部１４と、ＩＣカード４が接続されるＩＣカードインターフェース１５と、スクランブルが解除された放送信号を暗号化する暗号化処理部１６と、暗号化された信号をパソコン２０へ伝送するためのインターフェース１７とを備えている。
【００２４】
パソコン２０は、暗号化された信号が入力されるインターフェースコントローラ２１と、ハイビジョン方式の放送信号とワンセグ方式の放送信号のいずれか一方を選択する信号選択部２２と、信号選択部２２によって選択された暗号化されている信号を復号する復号化処理部２３と、復号化された信号を分離する多重分離部２４とを備えている。さらに、パソコン２０は、分離された放送信号に含まれるデータに対してデコード処理等を施す映像データ処理部２５及び音声データ処理部２６と、デコード処理が施された映像データに基づいて映像を表示するディスプレイ２８と、デコード処理が施された音声データに基づいて音声を再生する（音声が鳴動される）スピーカ２９とを備えている。上述した復号化処理部２３と多重分離部２４と映像データ処理部２５と音声データ処理部２６により、チューナーモジュール１０から出力された放送信号に対して所定の信号処理を施す信号処理部２７が構成されている。また、上述のディスプレイ２８とスピーカ２９により、放送信号に含まれるコンテンツ（映像及び音声）を出力（表示及び再生）するコンテンツ出力部が構成されている。
【００２５】
なお、表示部であるディスプレイ２８は、図２に示すように、映像を表示するための矩形状の画面２８ａを有している。この画面２８ａの全体は、マトリクス状に配置された複数の画素（不図示）によって構成されている。
【００２６】
また、パソコン２０は、制御部であるＣＰＵ３０と、制御プログラムをインストールするためのインストール手段３１と、制御プログラムが記憶される記憶部であるＨＤＤ３２と、ユーザーが入力操作を行うためのキーボード３３とを備えている。ＣＰＵ３０は、チューナーモジュール１０を用いてデジタル放送を視聴するための制御プログラムと、キーボード３３を用いたユーザー（即ち、デジタル放送の視聴者）の入力操作とに基づいて、制御信号を用いてパソコン２０の各部２１〜２６等の制御を行う。
【００２７】
インストール手段３１は、ＣＤ／ＤＶＤドライブ装置３１ａとＬＡＮコントローラ３１ｂにより構成されている。ＣＤ／ＤＶＤドライブ装置３１ａを使用して制御プログラムをインストールする場合は、チューナーモジュール１０に付属のＣＤやＤＶＤに記憶された上述の制御プログラムが、ＣＤ／ＤＶＤドライブ装置３１ａを介して、ＨＤＤ３２に記憶されることによりインストールされる。一方、ＬＡＮコントローラ３１ｂを使用して制御プログラムをインストールする場合は、図示しない通信ケーブルによりネットワーク回線に接続される通信コネクタ３４を介して取得された上述の制御プログラムが、ＬＡＮコントローラ３１ｂを介してＨＤＤ３２に記憶されることによりインストールされる。
【００２８】
また、パソコン２０は、映像を表示するディスプレイ２８において、ＣＰＵ３０の制御信号に基づいて、信号処理部２７によって信号処理が施された放送信号に基づく映像が表示される表示領域を制御する表示制御部３５と、映像が表示される表示領域を検出する表示領域検出部３６とを備えている。表示制御部３５は、上述の制御プログラムを含むアプリケーションソフトに対して、放送信号に基づく映像を表示するための矩形状の表示領域Ｒ（即ち、ウィンドウ）を与え、この表示領域Ｒに放送信号に基づく映像を表示するように制御する。即ち、ディスプレイ２８の画面２８ａの全体に放送信号に基づく映像が表示されるのではなく、ディスプレイ２８の画面２８ａの一部である表示領域Ｒ（図２参照）に放送信号に基づく映像が表示される。ディスプレイ２８における表示領域Ｒの大きさや位置は、ユーザーの入力操作に基づいて変更することができ、本実施形態においては図２の白矢印で示すように、横方向Ｘの表示領域Ｒの大きさと縦方向Ｙの表示領域Ｒの大きさの比が４：３を保って、表示領域Ｒの大きさが変更されるものとする。なお、表示制御部３５は、制御手段であるＣＰＵ３０に接続されており、ＣＰＵ３０からの制御信号に基づいて、上述の表示領域Ｒおよび表示領域Ｒに表示される映像の表示の制御を行う。
【００２９】
表示領域検出部３６は、表示制御部３５が行う表示領域の制御に基づき、ディスプレイ２８において放送信号に基づく映像が表示される表示領域Ｒの大きさ（即ち、ウィンドウサイズ）を検出する。また、表示領域Ｒの大きさを繰り返し検出することで、表示領域Ｒの大きさが変更されたか否かを検出する。これらの検出結果は、ＣＰＵ３０へ出力される。なお、「表示領域Ｒの大きさ」とは、「表示領域Ｒを構成する画素の数」のことをいう。
【００３０】
次に、チューナーモジュール１０の動作について説明する。
まず、アンテナ１１が、放送局から送られてくる放送電波を受信し、受信した放送電波に含まれるデジタル放送信号をチューナー部１２へ出力する。なお、デジタル放送における映像信号、音声信号等は、ＭＰＥＧ−２Ｓｙｓｔｅｍｓの規格に準拠して多重化されており、デジタル放送信号はＴＳ形式の信号となっている。また、１つのチャンネルに対応するデジタル放送信号には、第１の放送信号と第２の放送信号が含まれている。この第１の放送信号は、第１の帯域幅を有するとともに、第２の放送信号は、第１の帯域幅より狭い第２の帯域幅を有する。
【００３１】
より具体的には、１つのチャンネルに対応するデジタル放送信号は、所定の帯域幅（約５．６ＭＨｚ）を有するとともに、この帯域幅は１３セグメントに分割されている。そして、１つの放送局が使用するデジタル放送信号には、上述の１３セグメントのうち１２セグメントを使用した放送信号である第１の放送信号と、上述の１３セグメントのうち１セグメントを使用した放送信号である第２の放送信号とが含まれている。なお、第１の放送信号（以下、「ハイビジョン方式の放送信号」という。）は、ＭＰＥＧ−２Ｖｉｄｅｏ方式により圧縮符号化された映像データを含む映像信号を有するとともに、第２の放送信号（以下、「ワンセグ方式の放送信号」という。）は、ＭＰＥＧ−４ＡＶＣ方式（Ｈ．２６４方式）により圧縮符号化された映像データを含む映像信号を有する。また、ハイビジョン方式の放送信号、およびワンセグ方式の放送信号は、ＭＰＥＧ−２ＡＡＣ方式により圧縮符号化された音声データを含む音声信号を有する。
【００３２】
チューナー部１２は、アンテナ１１から入力されたデジタル放送信号において、ユーザーが指定したチャンネルに対応するデジタル放送信号（この場合、ハイビジョン方式の放送信号とワンセグ方式の放送信号の双方）を選択して、復調部１３へ出力する。即ち、チューナー部１２は、映像データや音声データを含むデジタル放送信号のうち、特定周波数のデジタル放送信号を取り出して、復調部１３へと出力する。
【００３３】
復調部１３は、チューナー部１２により選択されたデジタル放送信号を復調するとともに、伝送路で発生する符号誤りを訂正するために、放送信号に対して伝送路復号化を行う信号処理を施して、伝送路復号化されたデジタル放送信号をデスクランブル処理部１４へ出力する。
【００３４】
デスクランブル処理部１４は、デジタル放送信号にスクランブル処理が施されている場合に、ＩＣカードインターフェース１５に接続されたＩＣカード４から得られるデスクランブルキー（解除鍵）を用いて、スクランブルを解除する処理を行う。スクランブルが解除されたデジタル放送信号は、暗号化処理部１６へ出力される。
【００３５】
そして、暗号化処理部１６により、デジタル放送信号は、ＤＥＳ（Data Encryption Standard）、ＡＥＳ（Advanced Encryption Standard）等の所定の方式により暗号化される（即ち、デジタル放送信号を暗号化する信号処理が施される）。暗号化されたデジタル放送信号は、汎用のインターフェース１７（例えば、ＵＳＢ２．０）を介して、パソコン２０へと出力される。なお、チューナーモジュール１０は、チューナー部１２、復調部１３、デスクランブル処理部１４、ＩＣカードインターフェース１５、および暗号化処理部１６の各部の制御を行う制御手段としてのＣＰＵ１８を備えており、ＣＰＵ１８は、パソコン２０のＣＰＵ３０からの指示に従い、これら各部の制御を行う。
【００３６】
次に、上述のインストールされた制御プログラムに基づく、チューナーモジュール１０を介してデジタル放送信号を受信して、デジタル放送を視聴する場合のパソコン２０の動作について説明する。
【００３７】
チューナーモジュール１０により暗号化されたデジタル放送信号は、インターフェースコントローラ２１に入力され、信号選択部２２を介して、復号化処理部２３に入力される。復号化処理部２３は、上述のＤＥＳ、ＡＥＳ等の所定の形式で暗号化されたデジタル放送信号を復号し（即ち、デジタル放送信号を復号化する信号処理を施し）、復号化されたＴＳ形式のデジタル放送信号を多重分離部２４へと出力する。
【００３８】
多重分離部２４は、多重化されているＴＳ形式の信号であるデジタル放送信号を、映像データを含む映像信号、音声データを含む音声信号、番組情報を有する伝送制御信号等に分離する。即ち、多重分離部２４は、多重化されたデジタル放送信号を分離する信号処理を施す。そして、多重分離部２４によって、分離された放送信号である映像信号および音声信号の各々は、映像データ処理部２５と音声データ処理部２６へ出力される。
【００３９】
映像データ処理部２５は、放送信号である映像信号に対して信号処理を施すことによって、映像信号に含まれるとともにＭＰＥＧ−２Ｖｉｄｅｏ方式またはＭＰＥＧ−４ＡＶＣ方式（Ｈ．２６４方式）に基づいて圧縮符号化されている映像データのデコード処理を行って、圧縮されている映像データを展開する。そして、映像データ処理部２５によって、展開された映像データを含む映像信号は、表示制御部３５へ出力される。即ち、信号処理部２７によって信号処理が施された放送信号である映像信号が表示制御部３５へ出力される。そして、表示制御部３５によって、ディスプレイ２８の所定の表示領域Ｒに、信号処理部２７によって信号処理が施された放送信号に基づく映像が表示される。
【００４０】
また、音声データ処理部２６は、放送信号である音声信号に対して信号処理を施すことによって、音声信号に含まれるとともにＭＰＥＧ−２ＡＡＣ方式に基づいて圧縮符号化されている音声データのデコード処理を行って、圧縮されている音声データを展開する。そして、音声データ処理部２６によって、展開された音声データを含む音声信号は、スピーカ２９へ出力される。即ち、信号処理部２７によって信号処理が施された放送信号である音声信号がスピーカ２９へ出力される。そして、スピーカ２９によって、信号処理が施された放送信号に基づく音声が再生される。
【００４１】
このようにして、信号処理部２７（復号化処理部２３と多重分離部２４と映像データ処理部２５と音声データ処理部２６）が放送信号に対して信号処理を施し、信号処理が施された放送信号に基づくコンテンツ（映像、音声）が（ハイビジョン方式またはワンセグ方式のコンテンツが）出力（表示、再生）される。
【００４２】
ここで、本実施形態においては、表示領域Ｒの大きさを検出する表示領域検出部３６と、信号処理部２７によって信号処理が施される放送信号を選択する信号選択部２２と、表示領域検出部３６によって検出された表示領域Ｒの大きさに基づいて、信号選択部２２に放送信号を選択させるＣＰＵ３０を備える点に特徴がある。以下、本実施形態に係るデジタル放送表示システム１におけるコンテンツの出力手順を、図３乃至図５を参照して、詳しく説明する。
【００４３】
まず、ユーザーが希望する番組のコンテンツを出力する旨の指示を、ユーザーがキーボード３３を用いてＣＰＵ３０に入力する（ステップＳ１）。コンテンツを出力する旨の指示がＣＰＵ３０に入力されることによって、上述の制御プログラムを含むアプリケーションソフトが起動するとともに、チューナーモジュール１０がパソコン２０へ放送信号を出力する。次いで、表示領域Ｒの大きさに基づく放送信号の選択処理を行って、ハイビジョン方式またはワンセグ方式の放送信号を選択する（ステップＳ２）。
【００４４】
より具体的には、ステップＳ２の表示領域Ｒの大きさに基づく放送信号の選択処理は、図４に示す手順で行われる。即ち、まず、表示領域検出部３６が、表示制御部３５が上述の制御プログラムを含むアプリケーションソフトに対して与える、表示領域Ｒの大きさを検出する（ステップＳ１１）。次いで、ＣＰＵ３０が、ステップＳ１１によって検出された表示領域Ｒの大きさが、ワンセグ方式の放送信号に基づく映像の大きさよりも大きいか否かを判断する（ステップＳ１２）。即ち、ワンセグ方式の放送信号に基づく映像の大きさは、縦方向Ｙ（垂直方向）が１８０画素または２４０画素であって、横方向Ｘ（水平方向）が３２０画素である。従って、例えば、ステップＳ１１によって検出された表示領域Ｒの大きさのうち横方向Ｘの表示領域Ｒの大きさと、ワンセグ方式の放送信号に基づく映像の横方向Ｘの大きさ（即ち、３２０画素）の大小を比較して、ステップＳ１２の判断を行うことができる。横方向Ｘの表示領域Ｒの大きさが３２０画素よりも大きい場合は、ＣＰＵ３０は、ステップＳ１１によって検出された表示領域Ｒの大きさが、ワンセグ方式の放送信号に基づく映像の大きさよりも大きいと判断する。一方、横方向Ｘの表示領域Ｒの大きさが、３２０画素と等しいまたは３２０画素よりも小さい場合は、ＣＰＵ３０は、ステップＳ１１によって検出された表示領域Ｒの大きさが、ワンセグ方式の放送信号に基づく映像の大きさよりも大きくないと判断する。即ち、表示領域Ｒの大きさがワンセグ方式の放送信号に基づく映像の大きさよりも小さい、または表示領域Ｒの大きさがワンセグ方式の放送信号に基づく映像の大きさと等しいと判断する。なお、「映像の大きさ」とは、「映像を構成する画素の数」のことをいい、「表示領域の大きさが、映像の大きさよりも大きい［小さい］」とは、「表示領域を構成する画素の数が、映像を構成する画素の数よりも多い［少ない］」ことをいう。
【００４５】
そして、ステップＳ１２において、ステップＳ１１によって検出された表示領域Ｒの大きさが、ワンセグ方式の放送信号に基づく映像の大きさよりも大きくないと判断した場合は、ＣＰＵ３０は制御信号を送信して、信号選択部２２にワンセグ方式の放送信号を選択させる（ステップＳ１３）。即ち、ステップＳ１３においては信号選択部２２がワンセグ方式の放送信号を選択する。一方、ステップＳ１２において、ステップＳ１１によって検出された表示領域Ｒの大きさが、ワンセグ方式の放送信号に基づく映像の大きさよりも大きいと判断した場合は、ＣＰＵ３０は制御信号を送信して、信号選択部２２にハイビジョン方式の放送信号を選択させる（ステップＳ１４）。即ち、ステップＳ１４においては信号選択部２２がハイビジョン方式の放送信号を選択する。
【００４６】
なお、ステップＳ１１において表示領域Ｒの大きさを検出する処理としては、例えば、図５に示す手順で行うことができる。即ち、画面２８ａにおける、表示領域Ｒの左上の座標を検出し（ステップＳ２１）、次いで、画面２８ａにおける、表示領域Ｒの右下の座標を検出する（ステップＳ２２）。最後に、表示領域Ｒの横方向Ｘと縦方向Ｙの大きさを算出することで、表示領域Ｒの大きさを検出する（ステップＳ２３）。例えば、図２に示すように、ステップＳ２１において検出された表示領域Ｒの左上Ｐ１の座標を（Ｘ１，Ｙ１）、ステップＳ２２において検出された表示領域Ｒの右下Ｐ２の座標を（Ｘ２，Ｙ２）とする。この場合、Ｘ２−Ｘ１＋１を計算することによって横方向Ｘの表示領域Ｒの大きさを算出することができ、Ｙ２−Ｙ１＋１を計算することによって縦方向Ｙの表示領域Ｒの大きさを算出することができる。なお、ここで（Ｘ，Ｙ）で表される座標は、横方向ＸをＸ軸、縦方向ＹをＹ軸とした直交座標系であって、Ｘ座標及びＹ座標の単位は画面２８ａを構成する画素である。
【００４７】
以上のようにして、ステップＳ２における表示領域の大きさに基づく映像信号の選択処理によって、信号選択部２２は、信号処理部２７によって信号処理が施される放送信号として、ハイビジョン方式の放送信号およびワンセグ方式の放送信号のいずれか一方を選択する。なお、信号選択部２２は、ハイビジョン方式、ワンセグ方式の放送信号のいずれか一方を選択すると、再度選択するまでの間は選択した放送信号を信号処理部２７へ出力し続ける。
【００４８】
次いで、信号処理部２７が、ステップＳ２において信号選択部２２によって選択されたハイビジョン方式またはワンセグ方式の放送信号に対して、信号処理を施す（ステップＳ３）。次いで、ステップＳ３において信号処理が施されたハイビジョン方式またはワンセグ方式の放送信号（映像信号及び音声信号）を、表示制御部３５やスピーカ２９へ出力することによって、信号処理が施された放送信号に基づくコンテンツを（ハイビジョン方式またはワンセグ方式のコンテンツを）出力する（ステップＳ４）。なお、信号選択部２２が信号処理部２７へ放送信号を出力し続ける間は、信号処理部２７によって信号処理が放送信号に対して施され、信号処理が施された放送信号に基づくコンテンツが出力され続ける。
【００４９】
次いで、信号処理が施された放送信号に基づくコンテンツを出力した後に、表示領域Ｒの大きさが変更されたか否かを、表示領域検出部３６が検出する（ステップＳ５）。即ち、表示領域検出部３６が、上述のステップＳ１１おける処理を再度行うことによって、コンテンツの出力中に、表示領域Ｒの大きさが変更されたか否か（即ち、ウィンドウサイズが変更されたか否か）を判断する。
【００５０】
次いで、ステップＳ５において表示領域Ｒの大きさが変更されたことを検出した場合は、ステップＳ２（ステップＳ１１〜Ｓ１４）において行った処理と同様に、表示領域検出部３６によって検出された表示領域Ｒの大きさに基づいて、信号選択部２２にハイビジョン方式、ワンセグ方式の放送信号のいずれか一方を再度選択させる（ステップＳ６）。次いで、上述のステップＳ３，Ｓ４と同様に、再度選択されたハイビジョン方式またはワンセグ方式の放送信号に対して信号処理を施して、信号処理が施された放送信号に基づくコンテンツを（ハイビジョン方式またはワンセグ方式のコンテンツを）出力する（ステップＳ７，Ｓ８）。
【００５１】
一方、ステップＳ５において表示領域Ｒの大きさが変更されたことを検出しなかった場合は、既に、表示領域検出部３６によって検出された表示領域Ｒの大きさに基づいて、信号選択部２２にハイビジョン方式、ワンセグ方式の放送信号のいずれか一方を選択しているため、信号選択部２２に放送信号を再度選択させることは不要である。従って、ステップＳ５において表示領域Ｒの大きさが変更されたことを検出しなかった場合は、ステップＳ６を経ることがなく、また、ステップＳ６によって再度選択された放送信号に対して信号処理を施して、再度選択された放送信号に基づくコンテンツを出力するステップＳ７，Ｓ８を経ることもない。
【００５２】
そして、ＣＰＵ３０は、コンテンツの出力を停止する旨の指示が、キーボード３３を用いたユーザーの入力操作によって、ＣＰＵ３０に入力されたか否かを判断する（ステップＳ９）。ステップＳ９においてコンテンツの出力を停止する旨の指示が入力されたと判断した場合は、上述の制御プログラムを含むアプリケーションソフトを終了する。即ち、チューナーモジュール１０はパソコン２０へ放送信号を出力することを停止することによって、信号選択部２２による信号処理部２７への放送信号の出力を停止する。そして、信号処理部２７による信号処理を停止して、放送信号に基づくコンテンツの出力を停止する（ステップＳ１０）。
【００５３】
一方、ステップＳ９においてコンテンツの出力を停止する旨の指示が入力されなかったと判断した場合は、上述のステップＳ５以降の処理等が再度行われる。即ち、コンテンツの出力を停止する旨の指示が入力されたと判断されるまで、ステップＳ５〜Ｓ９の処理等が繰り返し行われる。
【００５４】
以上に説明した本実施形態によれば、以下の効果を得ることができる。
（１）本実施形態に係るデジタル放送表示システム１において、パソコン２０は、チューナーモジュール１０から出力された放送信号に対して信号処理を施す信号処理部２７と、信号処理部２７によって信号処理が施された放送信号に基づく映像を表示領域Ｒに表示するディスプレイ２８とを備える。さらに、パソコン２０は、表示領域Ｒの大きさを検出する表示領域検出部３６と、信号処理部２７によって信号処理が施される放送信号として、ハイビジョン方式の放送信号およびワンセグ方式の放送信号のいずれか一方を選択する信号選択部２２と、表示領域Ｒの大きさに基づいて、信号選択部２２に放送信号を選択させるＣＰＵ３０とを備える。同構成によれば、表示領域Ｒの大きさに基づいて、信号処理部２７によって信号処理が施される放送信号として、ハイビジョン方式、ワンセグ方式の放送信号のいずれか一方を選択する構成としている。このため、表示領域Ｒの大きさが小さい場合、第１の帯域幅より狭い第２の帯域幅を有するワンセグ方式の放送信号に対して信号処理が施されるようにして、信号処理の処理負担を軽減している。その結果、デジタル放送を視聴する際に、放送信号に基づくコンテンツの出力（映像及び音声の表示及び再生）が途切れることを抑制することができる。
【００５５】
（２）ＣＰＵ３０は、表示領域検出部３６によって検出された表示領域Ｒの大きさが、ワンセグ方式の放送信号に基づく映像の大きさ（例えば、横方向Ｘの大きさである３２０画素）よりも大きいか否かを判断する。そして、ＣＰＵ３０は、表示領域Ｒの大きさがワンセグ方式の放送信号に基づく映像の大きさよりも大きいと判断した場合は、信号選択部２２にハイビジョン方式の放送信号を選択させる。また、ＣＰＵ３０は、表示領域Ｒの大きさがワンセグ方式の放送信号に基づく映像の大きさよりも大きくないと判断した場合は、信号選択部２２にワンセグ方式の放送信号を選択させる。同構成によれば、表示領域Ｒの大きさがワンセグ方式の放送信号に基づく映像の大きさよりも大きいと判断した場合は、信号処理部２７によって信号処理が施される放送信号として、ハイビジョン方式の放送信号を選択する。そして、表示領域Ｒの大きさがワンセグ方式の放送信号に基づく映像の大きさよりも小さい、または表示領域Ｒの大きさがワンセグ方式の放送信号に基づく映像の大きさと等しいと判断した場合は、信号処理部２７によって信号処理が施される放送信号として、ワンセグ方式の放送信号を選択する構成としている。このため、表示領域Ｒの大きさがワンセグ方式の放送信号に基づく映像の大きさよりも大きい場合は、第２の帯域幅よりも広い第１の帯域幅を有するハイビジョン方式の放送信号に基づくコンテンツを出力することによって、高画質の画像でデジタル放送を視聴することができる。また、表示領域Ｒの大きさがワンセグ方式の放送信号に基づく映像の大きさよりも大きくない場合は、第１の帯域幅よりも狭い第２の帯域幅を有するワンセグ方式の放送信号に基づくコンテンツを出力することによって、コンテンツの出力が途切れることを抑制してデジタル放送を視聴することができる。
【００５６】
（３）表示領域検出部３６は、表示領域Ｒの大きさが変更されたか否かを検出し、ＣＰＵ３０は、表示領域Ｒの大きさが変更されたことを検出した場合に、表示領域検出部３６によって検出された表示領域Ｒの大きさに基づいて、信号選択部２２にハイビジョン方式、ワンセグ方式の放送信号のいずれか一方を選択させる。同構成によれば、表示領域Ｒの大きさが変更されたことを検出した場合に、信号処理部２７によって信号処理が施される放送信号として、ハイビジョン方式、ワンセグ方式の放送信号のいずれか一方を選択する構成としている。従って、デジタル放送が視聴されている際に表示領域Ｒの大きさが変更された場合であっても、放送信号に基づくコンテンツの出力が途切れることを抑制することができる。
【００５７】
なお、上記実施形態は以下のように変更してもよい。
・上記実施形態においては、デジタル放送表示システム１において、デジタル放送受信装置としてのチューナーモジュール１０と、チューナーモジュール１０に接続して使用されるデジタル放送表示装置としての電子機器であるパソコン２０とを備える構成としたが、図６に示すように、これらを一体的に構成してもよい。即ち、チューナーモジュール１０をデジタル放送受信部として、デジタル放送表示装置であるパソコン２０と一体的に構成してもよい。この場合、インターフェース１７、インターフェースコントローラ２１およびＣＰＵ１８が不要になり、デジタル放送表示装置の構成が簡素化される。なお、この場合、チューナー部１２、復調部１３、デスクランブル処理部１４、ＩＣカードインターフェース１５および暗号化処理部１６の制御は、ＣＰＵ３０によって行われることになる。この場合も、上記（１）〜（３）と同様の効果を得ることができる。
【００５８】
・上記実施形態においては、表示領域Ｒの大きさのうち横方向Ｘの表示領域Ｒの大きさと、ワンセグ方式の放送信号に基づく映像の横方向Ｘの大きさの大小を比較したが、表示領域Ｒの大きさのうち縦方向Ｙの表示領域Ｒの大きさと、ワンセグ方式の放送信号に基づく映像の縦方向Ｙの大きさの大小を比較してもよい。
【００５９】
・また、表示領域Ｒの大きさが、ワンセグ方式の放送信号に基づく映像の大きさよりも大きいか否かを判断して信号選択部２２に放送信号を選択させていたが、ユーザーが指定した映像の大きさよりも大きいか否かを判断して信号選択部２２に放送信号を選択させてもよい。即ち、表示領域Ｒの大きさに基づいて、信号選択部２２にハイビジョン方式、ワンセグ方式の放送信号のいずれか一方を選択させることができればよい。
【００６０】
・上記実施形態においては、第１の放送信号はハイビジョン方式の放送信号であったが、第１の放送信号は標準方式の放送信号であってもよい。この場合、第１の放送信号は上述の１３セグメントのうち４セグメントを使用した放送信号である。
【図面の簡単な説明】
【００６１】
【図１】本発明の実施形態に係るデジタル放送表示システムの全体構成を示すブロック図。
【図２】ディスプレイの画面と、画面の一部であって放送信号に基づく映像が表示される表示領域とを説明するための図。
【図３】本発明の実施形態に係るデジタル放送表示システムにおけるデジタル放送表示方法の手順を示すフローチャート。
【図４】表示領域の大きさに基づく放送信号の選択処理の手順を示すフローチャート。
【図５】表示領域の大きさを検出する手順を示すフローチャート。
【図６】本発明のデジタル放送表示装置を示すブロック図。
【符号の説明】
【００６２】
Ｒ…表示領域、１…デジタル放送表示システム、１０…チューナーモジュール（デジタル放送受信装置）、２０…パソコン（デジタル放送表示装置）、２２…信号選択部、２７…信号処理部、２８…ディスプレイ（表示部）、２８ａ…画面、２９…スピーカ、３０…ＣＰＵ（制御部）、３５…表示制御部、３６…表示領域検出部。
【図１】
2009089168.tif 000003
【図２】
2009089168.tif 000004
【図３】
2009089168.tif 000005
【図４】
2009089168.tif 000006
【図５】
2009089168.tif 000007
【図６】
2009089168.tif 000008